(57)【要約】【課題】レーザー光の調整作業を容易とするレーザー取付装置およびそれを備えた光ピックアップ装置を提供する。【解決手段】本発明のレーザー取付装置１０は、ＬＤパッケージ１２とそれを収納するＬＤホルダ１４から成り、ＬＤパッケージ１２の側面に当接するＬＤホルダ１４の第１内壁１８を傾斜面としている。この様にすることで、ＬＤホルダ１４に収納された発光チップ２４から出射されるレーザー光が光軸１６から偏っても、傾斜面である第１内壁１８でＬＤパッケージ１２の向きが補正されることにより、レーザー光の進行方向が光軸１６側に補正される。【選択図】図４
2011181133.tif 000002
【特許請求の範囲】
【請求項１】
光ピックアップ装置のハウジングに組み込まれてレーザー光を照射するレーザー取付装置であり、
前記レーザー光を出射する発光チップが内蔵されると共に、前記レーザー光が出射される方向に沿う第1側面および第２側面を有するＬＤパッケージと、
前記ＬＤパッケージが収納される枠体形状を呈し、前記光ピックアップ装置の光軸に対して傾斜する第１内壁と第２内壁とを有するＬＤホルダと、を備え、
前記ＬＤパッケージの前記第１側面を、前記ＬＤホルダの前記第１内壁または前記第２内壁の何れか一方に当接させ、
前記ＬＤパッケージの前記第２側面を、前記ＬＤホルダの前記第１内壁または前記第２内壁の何れか他方から離間させることを特徴とするレーザー取付装置。
【請求項２】
前記ＬＤホルダの前記第１内壁および前記第２内壁は、前記光軸に対して実質的に同じ角度で傾斜する傾斜面であることを特徴とする請求項１に記載のレーザー取付装置。
【請求項３】
ＬＤパッケージは、出射されるレーザー光が前記光軸に対して一方側に偏る第１ＬＤパッケージ、または前記レーザー光が前記光軸に対して他方側に偏る第２ＬＤパッケージであり、
前記ＬＤパッケージとして前記第１ＬＤパッケージが採用される場合と、前記ＬＤパッケージとして前記第２ＬＤパッケージが採用される場合とでは、前記ＬＤホルダを表裏逆の状態とすることにより、前記両方の場合にて前記ＬＤパッケージから出射される前記レーザー光の進行方向を、前記光軸に補正することを特徴とする請求項１または請求項２に記載のレーザー取付装置。
【請求項４】
前記ＬＤホルダの側面に、前記ＬＤホルダの主面の向きを認識可能な認識マークを設けることを特徴とする請求項１から請求項３の何れかに記載のレーザー取付装置。
【請求項５】
前記認識マークは、前記認識マークが設けられる側面の隅部に設けられた第１認識マークと、前記隅部に対向する他の隅部に設けられると共に前記第１認識マークとは形状が異なる第２認識マークと、を含むことを特徴とする請求項４に記載のレーザー取付装置。
【請求項６】
光情報記録媒体にレーザー光を照射し、前記光情報記録媒体で反射する前記レーザー光を検出する光ピックアップ装置であり、
請求項１から請求項５の何れかに記載された前記レーザー取付装置が組み込まれたことを特徴とする光ピックアップ装置。
【発明の詳細な説明】
【技術分野】
【０００１】
本発明は、レーザー光の輝度分布の調整を簡易化するレーザー取付装置及びそれを用いた光ピックアップ装置に関する。
【背景技術】
【０００２】
従来のレーザー取付装置の一実施例として、図６に示す構造が知られている。図示の如く、レーザー取付装置のベース１４１には光軸調整機構部１４２が配置される。光軸調整機構部１４２は、固定座１４３と可動座１４４とから構成される。固定座１４３には開口領域１４５が形成され、開口領域１４５の内側面は、光学系の光軸１４６に対して同心状に球面加工される。一方、可動座１４４の外周面も同様に、光学系の光軸１４６に対して同心状に球面加工される。可動座１４４の基準面１４７に密接するようにＬＤパッケージ１４８が配置され、可動座１４４は、固定座１４３の開口領域１４５内に嵌合される。そして、光軸調整機器１４９により、可動座１４４の位置を調整することで、ＬＤパッケージ１４８から出射されるレーザー光の出射方向と光学系の光軸１４６とが調整される。同様に、可動座１４４の位置調整によりレーザー光の対物レンズ（図示せず）上での輝度分布のずれも調整される。尚、光軸調整や輝度分布調整をした後は、接着剤１５０により、固定座１４３と可動座１４４との位置関係が固定される（例えば、特許文献１参照。）。
【先行技術文献】
【特許文献】
【０００３】
【特許文献１】特開平０５−８１６９３号公報（第３−４頁、第１−２図）
【発明の概要】
【発明が解決しようとする課題】
【０００４】
前述したように、従来のレーザー取付装置では、レーザー取付装置のベースに光軸調整機構部１４２が固定された後、個々のレーザー取付装置に対して可動座１４４の位置調整を行うことで、レーザー光の光軸の調整や輝度分布の調整が行われる。そのため、レーザー取付装置の取り付け作業やその調整作業の時間を短縮し難く、作業効率が悪く、量産性に適さず、歩留まりの向上が実現し難いという問題がある。
【０００５】
また、レーザー光の調整作業では、固定座１４３に対して可動座１４４を微妙に動かす必要があり、作業員の熟練した技術が必要となり、作業員の熟練度に応じて、その調整精度にばらつきが発生するという問題がある。
【０００６】
本発明はこの様な問題点を鑑みて成されたものであり、本発明の目的は、レーザー光の調整作業を容易とするレーザー取付装置およびそれを備えた光ピックアップ装置を提供することである。
【課題を解決するための手段】
【０００７】
本発明は、光ピックアップ装置のハウジングに組み込まれてレーザー光を照射するレーザー取付装置であり、前記レーザー光を出射する発光チップが内蔵されると共に、前記レーザー光が出射される方向に沿う第1側面および第２側面を有するＬＤパッケージと、前記ＬＤパッケージが収納される枠体形状を呈し、前記光ピックアップ装置の光軸に対して傾斜する第１内壁と第２内壁とを有するＬＤホルダと、を備え、前記ＬＤパッケージの前記第１側面を、前記ＬＤホルダの前記第１内壁または前記第２内壁の何れか一方に当接させ、前記ＬＤパッケージの前記第２側面を、前記ＬＤホルダの前記第１内壁または前記第２内壁の何れか他方から離間させることを特徴とする。
【０００８】
更に本発明は、光情報記録媒体にレーザー光を照射し、前記光情報記録媒体で反射する前記レーザー光を検出する光ピックアップ装置であり、上記構成のレーザー取付装置が組み込まれたことを特徴とする。
【発明の効果】
【０００９】
本発明によれば、ＬＤホルダの傾斜する内壁にＬＤパッケージの側面を密着させるのみで、ＬＤパッケージから出射されるレーザー光を、光ピックアップ装置の光軸側に簡易に補正することが出来る。従って、背景技術の如き熟練作業員による高度な調整作業が不要となるので、レーザー取付装置および光ピックアップ装置の製造にかかる費用が低減される。
【００１０】
また、本発明では、ＬＤホルダの表裏を逆転することにより、レーザー光の進行方向が補正される方向を逆とすることが出来る。従って、１つの種類のＬＤホルダにより、一方向にレーザー光が偏るＬＤパッケージを補正可能であるし、更に他方向にレーザー光が偏るＬＤパッケージも補正可能である。
【００１１】
更に本発明では、ＬＤホルダの側面に、ＬＤホルダの表裏を判別可能な認識マークを設けている。この様にすることで、ＬＤホルダにＬＤパッケージを組み込む際に、表裏の状態を適切に判断することが可能となるので、この表裏を誤ることによる歩溜まりの低下が抑制される。
【図面の簡単な説明】
【００１２】
【図１】（Ａ）は本発明の実施の形態におけるレーザー取付装置を示す斜視図であり、（Ｂ）はこのレーザー取付装置が組み込まれるハウジングを示す斜視図である。
【図２】本発明のレーザー取付装置が組み込まれた光ピックアップ装置の光学系を示す概略図である。
【図３】（Ａ）は本発明の実施の形態における光ピックアップ装置のレーザー光の輝度分布を説明する図であり、（Ｂ）は輝度分布のばらつきを説明する図である。
【図４】本発明のレーザー取付装置の構成を詳細に示す図であり、（Ａ）は平面図であり、（Ｂ）は側面図であり、（Ｃ）はＬＤホルダを示す平面図であり、（Ｄ）はＬＤパッケージを示す平面図である。
【図５】ＬＤホルダを表裏逆にした状態のレーザー取付装置を示す図であり、（Ａ）は平面図であり、（Ｂ）は側面図であり、（Ｃ）は表裏逆にした状態のＬＤホルダの平面図である。
【図６】従来の実施の形態におけるレーザー取付装置を説明する断面図である。
【発明を実施するための形態】
【００１３】
以下に、本発明の一実施の形態であるレーザー取付装置及びそれを用いた光ピックアップ装置について説明する。
【００１４】
先ず、図１を参照して、本形態のレーザー取付装置１０およびそれが組み込まれる光ピックアップ装置のハウジング４２を説明する。図１（Ａ）はレーザー取付装置１０の外観を示す斜視図であり、図１（Ｂ）はこのレーザー取付装置１０が組み込まれるハウジング４２の一部を示す斜視図である。
【００１５】
図１（Ａ）を参照して、レーザー取付装置１０は、主に、ＬＤホルダ１４と、ＬＤホルダ１４内に固着されるＬＤパッケージ１２とから構成される。図示していないが、ＬＤパッケージ１２には、ＬＤやＬＤＤ（ＬＤ  Ｄｒｉｖｅｒ）等が配置され、ＬＤＤからＬＤへ電流が流れることで、ＬＤからレーザー光が出射される。詳細は後述するが、ＬＤから出射されたレーザー光が、光情報記録媒体上に集光し、反射することで、光情報記録媒体へのデータの書き込みや光情報記録媒体からのデータの読み取りが行われる。そのため、レーザー光の出射方向は、光ピックアップ装置の光軸に対して高精度に一致するように、ＬＤホルダ１４はハウジング４２（図１（Ｂ）参照）に配置される。尚、ハウジング４２は、図２に示す光学系部品を内蔵するパッケージのことを言い、例えば、ＬＤホルダ１４はハウジング４２内やハウジング４２側面等に固着される。
【００１６】
以下の説明では、紙面Ｘ軸方向はハウジング４２の幅方向（ＬＤホルダ１４の幅方向）とし、紙面Ｙ軸方向はハウジング４２の高さ方向（ＬＤホルダ１４の高さ方向）とし、紙面Ｚ軸方向はハウジング４２の奥行き方向（ＬＤホルダ１４の奥行き方向）とする。尚、紙面Ｚ軸方向は、光ピックアップ装置の光軸方向と一致する。
【００１７】
本形態では、ＬＤホルダ内から出射されるレーザー光の進行方向は光軸と概略的に一致しているが、更に高精度に両者を一致させるために、ＬＤホルダ１４の内部でＬＤパッケージ１２の向きを補正している。この補正を実現する具体的な構成は、図４および図５を参照して詳述する。
【００１８】
ＬＤホルダ１４の外形形状は直方体形状であり、側面４３、４９は光軸方向に対してＸＹ方向の基準面となり、光軸方向に対して垂直面となる。また、側面５１、４５は、光軸方向に対してＹＺ方向の基準面となり、側面５３、４７は、光軸に対してＸＺ方向の基準面となる。そして、対向する側面４３、４９を貫通するように、ＬＤホルダ１４には、ＬＤパッケージ１２に即した形状の内部空間が形成されている。
【００１９】
図１（Ｂ）に示す如く、ハウジング４２のＬＤホルダ１４の取り付け領域には、ＬＤホルダ１４の外形形状に合わせた凹部５０が形成される。凹部５０内の側面４４は、光軸方向に対してＸＹ方向の基準面となり、側面４６は、光軸方向に対してＹＺ方向の基準面となる。側面４４には、ＬＤパッケージ１２の貫通孔に合わせて開口部４８が形成され、一点鎖線にて示すように開口部４８の中心軸が光ピックアップ装置の光軸方向と一致する。そして、ＬＤホルダ１４内から出射されたレーザー光は、開口部４８を介して一点鎖線にて示す光軸上を進む。
【００２０】
ここで、ＬＤホルダ１４のハウジング４２への取り付け方法について説明する。先ず、ＬＤホルダ１４の側面４３とハウジング４２の側面４４とを当接させて、光ピックアップ装置の光軸方向に対して垂直面（ＸＹ方向の基準面）を固定する。尚、この時、ＬＤホルダ１４の側面４７がハウジング４２の側面に当接し、ＸＺ方向の基準面も固定される。次に、ＬＤホルダ１４をＸ軸方向へ移動させ、ＬＤホルダ１４の側面４５とハウジング４２の側面４６とを当接させ、ＹＺ方向の基準面が固定される。その後、ＬＤホルダ１４をＺ軸方向へ水平移動させるように、ハウジング４２に対してＬＤホルダ１４を圧入することで、ＬＤホルダ１４はハウジング４２に固着される。この簡易な取り付け作業により、ＬＤホルダ１４内から出射されるレーザー光の出射方向が、光ピックアップ装置の光軸に対して一致するように、ＬＤホルダ１４及びハウジング４２が設計される。
【００２１】
図２を参照して、上記した構成のレーザー取付装置１０が組み込まれた光ピックアップ装置７４の光学系を説明する。尚、図示した一点鎖線が、光ピックアップ装置の光軸を示し、下記に説明する光学系部品は、光軸に対して位置精度良く配置される。
【００２２】
第１ＬＤホルダ１４Ａは、第１波長（青紫色（青色）波長帯４００ｎｍ〜４２０ｎｍ（例えば４０５ｎｍ））のレーザー光を出射する。第２ＬＤホルダ１４Ｂは、第２波長（赤色波長帯６４５ｎｍ〜６７５ｎｍ（例えば、６５５ｎｍ））のレーザー光及び第３波長（赤外波長帯７６５ｎｍ〜８０５ｎｍ（例えば、７８５ｎｍ））のレーザー光を出射する。尚、第１ＬＤホルダ１４Ａ及び第２ＬＤホルダ１４Ｂには、前述したＬＤホルダ１４の構造が採用される。ここで、１つのＬＤホルダのみを用意し、このＬＤホルダから上記した３つのレーザー光を射出させても良い。
【００２３】
なお、上記した第１波長のレーザー光は例えば、ＢＤ（Blu-ray Disc）規格またはＨＤ−ＤＶＤ（High-Definition Digital Versatile Disc）規格のディスク（光情報記録媒体）の読み出しあるいは書き込みに用いられ、第２波長のレーザー光はＤＶＤ（Digital Versatile Disc）規格のディスクに用いられ、第３波長のレーザー光はＣＤ（Compact Disc）規格のディスクに用いられる。
【００２４】
第１回折格子７２は、第１ＬＤホルダ１４Ａと偏光ビームスプリッタ６６との間に配置され、第１ＬＤホルダ１４Ａから出射されるレーザー光が入射する。そして、第１回折格子７２は、入射するレーザー光を０次光、＋１次回折光、−１次回折光に分離する回折格子と、入射するレーザー光を偏光ビームスプリッタ６６の偏光面に対してＳ偏光の直線偏光光に変換する１／２波長板とから構成される。同様に、第２回折格子７０は、第２ＬＤホルダ１４Ｂと偏光ビームスプリッタ６６との間に配置され、回折格子と１／２波長板とから構成される。尚、第２回折格子７０では、入射するレーザー光を偏光ビームスプリッタ６６の偏光面に対してＰ偏光の直線偏光光に変換する。
【００２５】
カップリングレンズ６８は、第２回折格子７０と偏光ビームスプリッタ６６との間に配置され、入射するレーザー光の発散角度を変換する。カップリングレンズ６８を用いることで、複数のレーザー光に対してコリメートレンズ５８と対物レンズ６２を共用することができる。
【００２６】
偏光ビームスプリッタ６６は、第１回折格子７２から入射するＳ偏光のレーザー光を反射し、カップリングレンズ６８から入射するＰ偏光のレーザー光を透過する。
【００２７】
ハーフミラー５６は、偏光ビームスプリッタ６６で反射されて入射するＳ偏光のレーザー光及び偏光ビームスプリッタ６６を透過して入射するＰ偏光のレーザー光をコリメートレンズ５８の方向へ反射する。また、ハーフミラー５６は、コリメートレンズ５８から入射するレーザー光の戻り光を透過する。そして、コリメートレンズ５８は、ハーフミラー５６から入射するレーザー光を平行光に変換する。コリメートレンズ５８によって変換されたレーザー光の平行光は、１／４波長板６０に入射する。
【００２８】
１／４波長板６０は、コリメートレンズ５８から入射するレーザー光を直線偏光光から円偏光光に変換する。また、１／４波長板６０は、対物レンズ６２から入射するレーザー光の戻り光を円偏光光から直線偏光光に変換する。そして、対物レンズ６２は、１／４波長板６０から入射するレーザー光を夫々が対応する光情報記録媒体６４の信号記録層に集光させる。
【００２９】
光情報記録媒体６４において反射したレーザー光の戻り光は、対物レンズ６２によって平行光に変換されて１／４波長板６０に入射し、１／４波長板６０によって円偏光光から直線偏光光に変換される。そして、直線偏光光となったレーザー光の戻り光は、コリメートレンズ５８を透過してハーフミラー５６を透過し、検出レンズ５４に入射する。
【００３０】
検出レンズ５４は、レーザー光の戻り光を光検出器５２上に集光させるとともに、レーザー光の戻り光に非点収差を発生させてフォーカスエラー信号を生成する。そして、光検出器５２は、受光したレーザー光の戻り光を光電変換する。
【００３１】
以上が光ピックアップ装置７４の構成である。
【００３２】
図３を参照して、ＬＤパッケージ１２から照射されるレーザー光の特性を説明する。
【００３３】
図３（Ａ）を参照して、ＬＤパッケージ１２内から出射されるレーザー光は、一点鎖線にて示す光ピックアップ装置の光軸上を進むが、その輝度中心が光軸に対して若干傾く場合がある。その理由として、ＬＤパッケージ１２内にＬＤを固着する際の接着材の厚みやその接着材の偏り等が考えられる。そして、ＬＤパッケージ１２内から出射されたレーザー光は、対物レンズ６２にて光情報記録媒体６４上に集光されるため、レーザー光の輝度中心のばらつきによりその集光精度が悪化する場合もある。尚、レーザー光の輝度中心が光軸に対してずれる角度をｒ（θ）とし、光軸に垂直なＸＹ平面にてＸ軸方向の＋方向と−方向を用いて以下に説明する。
【００３４】
図３（Ｂ）に示すように、先ず、ＬＤパッケージ１２内から出射されるレーザー光の輝度中心のばらつきが−１．５°≦ｒ（θ）≦１．５°の範囲にある場合には、集光精度に影響は少なく許容誤差範囲内として、そのＬＤパッケージ１２は良品として選別される。次に、許容範囲内として選別されたＬＤパッケージ１２は、光軸に対して−方向に輝度中心が偏る（例えば、−１．５°≦ｒ（θ）＜０°）ＬＤパッケージ１２（第１ＬＤパッケージ）と、光軸に対して＋方向に輝度中心が偏る（例えば、０°≦ｒ（θ）≦１．５°）のＬＤパッケージ１２（第２ＬＤパッケージ）とに区別される。
【００３５】
第１ＬＤパッケージと第２ＬＤパッケージとでは、レーザー光が偏る方向が逆であるので、レーザー光が補正されるべき方向も逆方向となる。本形態では、第１ＬＤパッケージと第２ＬＤパッケージとで、このＬＤパッケージを収納するＬＤホルダを表裏逆の状態とすることにより、両者から射出されるレーザー光を光軸側に補正している。
【００３６】
図４を参照して、上記した第１ＬＤパッケージをＬＤホルダ１４に収納する構造を示す。図４（Ａ）はレーザー取付装置１０の構成を示す平面図であり、図４（Ｂ）は図４（Ａ）に示すレーザー取付装置１０を＋Ｚ方向に見た図であり、図４（Ｃ）はＬＤホルダ１４を示す平面図であり、図４（Ｄ）はＬＤパッケージ１２を示す平面図である。
【００３７】
図４（Ａ）を参照して、本形態に係るレーザー取付装置１０は、発光チップ２４（ＬＤ）がパッケージ化されたＬＤパッケージ１２と、このＬＤパッケージ１２が内蔵されるＬＤホルダ１４とを備えている。
【００３８】
ＬＤパッケージ１２は、所謂リードフレーム型のパッケージであり、レーザー光を出射する発光チップ２４がＬＤパッケージ１２内のリードフレームに接続されており、このリードフレームの一部が端子部２２として紙面上の下方に導出されている。発光チップ２４は所定形状に射出成形された樹脂から成るケース材により保護されており、発光チップ２４からレーザー光が放出される面は封止されずに解放された状態と成っている。ここで、発光チップ２４は、透明樹脂により樹脂封止されても良いし、レーザー光が出射される端面がガラス板により封止されても良い。
【００３９】
図４（Ａ）を参照して明らかなように、ＬＤパッケージ１２の中心軸は、光ピックアップ装置の光軸１６とは一致せずに傾斜した状態となっている。このことにより、発光チップ２４から射出されるレーザー光が光軸１６よりも−側に偏っても、このレーザー光の進行方向を＋側（光軸１６側）に補正することが出来る。
【００４０】
図４（Ｄ）を参照して、ＬＤパッケージ１２は、発光チップ２４が載置される先端部付近に、第１側面３０と第２側面３２とを有する。第１側面３０および第２側面３２は、ＬＤパッケージ１２の中心線（光軸）に対して平行に形成されている。ＬＤパッケージ１２がＬＤホルダ１４に収納される際には、第１側面３０が、ＬＤパッケージ１２の内壁に密着する。そして、ＬＤパッケージ１２の内壁に密着されないＬＤパッケージ１２の側面は、ＬＤホルダ１４の内壁から離間する。
【００４１】
第１当接部３４および第２当接部３６は、第１側面３０および第２側面３２と直角な側面であり、ＬＤパッケージ１２をＬＤホルダ１４に収納させる際に、ＬＤパッケージ１２をＺ軸に対して所定の位置に固定させるために用いられる。具体的には、ＬＤパッケージ１２の第１当接部３４は、図４（Ｃ）に示す、ＬＤホルダ１４の第１当接部２６に当接する。
【００４２】
ＬＤパッケージ１２に内蔵される発光チップ２４からは、１つの周波数帯のみのレーザー光が出射されても良いし、波長が異なる複数の種類のレーザー光が出射されても良い。発光チップ２４から射出されるレーザー光の周波数帯は上記した通りである。
【００４３】
更にまた、ＬＤパッケージ１２から波長が異なる複数のレーザー光が出射される場合は、複数個の発光源を有する１つの発光チップ２４を内蔵させても良いし、複数個の発光チップ２４がＬＤパッケージ１２に内蔵されても良い。一例として、上記した第１レーザー光を出射する第１発光チップと、第２レーザー光および第３レーザー光を出射する第２発光チップとをＬＤパッケージ１２に内蔵させても良い。
【００４４】
図４（Ｃ）を参照して、ＬＤホルダ１４は、マグネシウム等の金属又はエポキシ樹脂等の樹脂を射出成形等することで枠体形状に成形したものであり、ＬＤパッケージ１２を保持した状態で、光ピックアップ装置のハウジングに固着される（図１参照）。ここで、ＬＤホルダ１４がハウジングに取り付けられる構造は、図４に示す場合でも、図５を参照して後述する場合でも同様である。
【００４５】
ＬＤホルダ１４の内側には、第１内壁１８および第２内壁２０が設けられており、これらの内壁は収納されるＬＤパッケージ１２の外側側面と当接する。一般的なＬＤホルダ１４では、ＬＤホルダ１４の中心線を光軸１６と一致させた場合、これらの内壁は光軸１６に対して平行となるが、本形態では第１内壁１８および第２内壁２０は光軸１６に対して傾斜している。
【００４６】
具体的には、第１内壁１８が平面視で光軸に対して傾斜する角度θ１は、例えば０．５°である。そして、図４（Ａ）に示すように、ＬＤパッケージの第１側面３０が、ＬＤホルダ１４の第１内壁１８に当接することにより、発光チップ２４から出射されるレーザー光の進行方向が＋側に０．５°調整される。結果的に、ＬＤパッケージ１２のレーザー光の輝度中心のばらつきが−１．０°≦ｒ（θ）＜０．５°の範囲に調整される。このことから、良品として選別される許容誤差の範囲（−１．５≦ｒ（θ）≦１．５）よりも更に高精度の範囲で、ＬＤパッケージ１２がＬＤホルダ１４内へと固着される。
【００４７】
尚、紙面上では、特徴明示の為に、第１内壁１８の傾斜を目視で明らかな程度としているが、実際のレーザー取付装置に設けられる第１内壁１８は、目視で確認することは困難な程度の傾斜面と成っている。
【００４８】
第２内壁２０も同様に傾斜面とされており、第２内壁２０が光軸１６から傾斜する角度θ２は、上記したθ１と同様である。
【００４９】
第１内壁１８と第２内壁２０とは、両者の間に存在する点を回転中心として、１８０°回転対称の関係にある。また、両者は点対称の関係にもある。この様にすることで、ＬＤホルダ１４の表裏を逆転することにより、第１内壁１８および第２内壁２０が光軸１６に対して傾斜する方向が逆となる。ひいては、内蔵されるＬＤパッケージ１２が傾く方向を逆とすることが出来る。この事項の詳細は図５を参照して後述する。
【００５０】
図４（Ｂ）を参照して、−Ｚ側のＬＤホルダ１４の端面には、第１認識マーク３８および第２認識マーク４０が設けられている。これらマークは、ＬＤホルダ１４を射出成形で形成する際に、突起部または凹状部として設けても良いし、目視確認可能な塗料でマークが構成されても良い。更にはレーザー照射により認識マークが設けられても良い。
【００５１】
第１認識マーク３８は、ＬＤホルダ１４の端面の右側上端部付近に設けられており、「−」の形状を呈している。一方、第２認識マーク４０は、第１認識マーク３８と対角の位置に配置されており、「＋」の形状を呈している。この様にＬＤホルダ１４の端面に認識マークを設けることにより、認識マークを確認するのみでＬＤホルダ１４の表裏の状態を知ることが可能となる。即ち、図４（Ｃ）に示す第１内壁１８が傾斜する方向を、ＬＤホルダ１４の端面に設けた第１認識マーク３８または第２認識マーク４０を確認することで、容易に知ることが出来る。従って、ＬＤホルダ１４の取付方向の誤りが少なくなり、歩溜まりが向上する。
【００５２】
ここで、第１認識マーク３８および第２認識マーク４０の形状としては、上記した記号や文字等の他にも、マークの違いを認識可能な記号等が用いられても良い。
【００５３】
図４（Ａ）を参照して、ＬＤパッケージ１２に内蔵される発光チップ２４の発光源と、ＬＤホルダ１４の＋Ｘ側の端部との距離Ｌ１０は所定の長さに設定されており、この長さはＬＤホルダ１４の表裏を逆にした状態（図５に示す状態）でも同様である。この様にすることで、ＬＤホルダ１４の表裏の状態に関係なく、発光チップ２４の発光点を光軸１６上に配置することが出来る。
【００５４】
図５を参照して、光軸に対して＋方向にレーザー光が偏る第２ＬＤパッケージを、表裏を逆転させたＬＤホルダ１４に収納する構成を説明する。図５（Ａ）はこの状態のレーザー取付装置１０を示す平面図であり、図５（Ｂ）は図５（Ａ）の状態のレーザー取付装置１０を＋Ｚ方向に見た図であり、図５（Ｃ）は表裏が逆転された状態のＬＤホルダ１４を示す平面図である。ここでは、発光チップ２４から＋側に偏って出射されるレーザー光を−Ｘ側に補正するための構造が開示される。
【００５５】
図５（Ａ）を参照して、ＬＤホルダ１４を表裏逆転することにより、ＬＤホルダ１４の右側に第２内壁２０が配置され、左側に第１内壁１８が配置されることとなる。更に、ＬＤホルダ１４の第１内壁１８および第２内壁２０が傾斜する方向も図４（Ａ）の場合と逆になる。一方、ＬＤパッケージ１２の表裏の状態はそのままである。
【００５６】
この状態でＬＤパッケージ１２をＬＤホルダ１４に収納し、ＬＤホルダ１４の第２内壁２０に、ＬＤパッケージ１２との第１側面３０を当接させて固定する。この様にすると、ＬＤパッケージ１２の中心軸は、光軸１６に対して傾いた状態でＬＤホルダ１４内部に固着される。
【００５７】
一方、ＬＤパッケージ１２の第２側面３２は、ＬＤホルダ１４の第１内壁１８とは接触せずに、両者の間には間隙が存在している。この間劇が存在することにより、ＬＤホルダ１４が表状態であっても裏状態であっても、ＬＤホルダ１４の内部でのＬＤパッケージ１２の傾斜が許容される。
【００５８】
この図に示すように、ＬＤホルダ１４の第２内壁２０を利用して、ＬＤパッケージ１２を−Ｘ側に傾斜させることにより、レーザー光の輝度中心が−Ｘ側に補正される。
【００５９】
また、ＬＤホルダ１４の表裏を逆にした状態であっても、ＬＤパッケージ１２に内蔵された発光チップ２４の発光点とＬＤホルダ１４の右端端部との距離Ｌ１１は、図４（Ａ）に示した場合（Ｌ１０）と同様である。即ち、この図に示す場合であっても、発光チップ２４からレーザー光が射出される発光点は、光軸１６上に配置される。
【００６０】
図５（Ｂ）を参照して、ＬＤホルダ１４の表裏を逆転させることにより、第２認識マーク４０が紙面上における右上端部付近に配置され、第１認識マーク３８が左下端部付近に配置されている。この様に、ＬＤホルダ１４の表裏を逆転させることにより、第１認識マーク３８と第２認識マーク４０との位置関係は入れ替わっている。
【００６１】
図５（Ｃ）を参照して、第１内壁１８および第２内壁２０が傾斜する方向も逆方向とされている。また、第１内壁１８および第２内壁２０が光軸に対して傾斜する角度θ３およびθ４は、図１に示したθ１およびθ２と同様であり、発光チップ２４から出射されるレーザー光が進行する角度は、この角度で補正される。
【００６２】
上記構成により、＋方向のずれ（例えば、０°≦ｒ（θ）≦１．５°）を有するＬＤパッケージ１２は、ＬＤホルダ１４の第２内壁２０に当接することにより、ＬＤホルダ１４の内部で−方向に傾いた状態にてＬＤホルダ１４内に接着固定される。そして、傾きが−方向へ０．５°調整され、ＬＤパッケージ１２のレーザー光の輝度中心のばらつきが−０．５≦ｒ（θ）≦１．０の範囲に調整される。その結果、良品として選別される許容誤差の範囲（−１．５°≦ｒ（θ）≦１．５°）よりも更に高精度の範囲にて、ＬＤパッケージ１２がＬＤホルダ１４内で固着される。
【００６３】
本形態の特徴は、図４（Ａ）を参照して、ＬＤパッケージ１２を収納するＬＤホルダ１４の内部に、光軸１６に対して傾斜する第１内壁１８を設けた点にある。
【００６４】
具体的には、ＬＤパッケージ１２に内蔵された発光チップ２４から出射されるレーザー光は、輝度分布が光軸１６に対してずれている。ここでは、発光チップ２４から出射されるレーザー光の輝度分布中心は、紙面上にて光軸１６の左側（−方向）にずれている。従って、仮に、ＬＤホルダ１４の第１内壁１８および第２内壁２０を光軸１６に対して平行に形成し、これらの内壁にＬＤパッケージ１２を嵌合させると、ＬＤパッケージ１２の中心線は光軸１６と一致するものの、発光チップ２４から出射されるレーザー光の進行方向は光軸１６から左側に若干ずれることとなる。
【００６５】
そこで本形態では、ＬＤホルダ１４の第１内壁１８を傾斜面とし、この傾斜する第１内壁１８に、ＬＤパッケージ１２の第１側面３０を当接させている。この様にすることで、ＬＤパッケージ１２全体が、ＬＤホルダ１４の第１内壁１８と同様に傾斜する。従って、ＬＤパッケージ１２に内蔵された発光チップ２４から出射されるレーザー光の進行方向が、光軸１６側に調整されることとなる。
【００６６】
更に本発明の特徴は、図４（Ａ）を参照して、ＬＤホルダ１４の第１内壁１８と第２内壁２０とが離間する幅を、ＬＤホルダ１４に収納されるＬＤパッケージ１２の幅よりも大きくしたことにある。この様にすることで、ＬＤパッケージ１２がＬＤホルダ１４の内部で傾斜することが可能となる。
【００６７】
更なる本発明の特徴は、発光チップ２４から出射されるレーザー光の進行方向の偏りに応じて、ＬＤパッケージ１２の表裏を逆転してレーザー取付装置１０に用いることにある。具体的には、図４（Ａ）を参照して、発光チップ２４から出射されるレーザー光が−Ｘ方向に偏る場合には、ＬＤパッケージ１２の第１内壁１８が右側（＋側）に傾斜する様にＬＤホルダ１４を配置する。そして、この状態でＬＤホルダ１４にＬＤパッケージ１２を収納させ、ＬＤホルダ１４の第１内壁１８に、ＬＤパッケージ１２の第１側面３０を当接させて固着する。このことにより、ＬＤパッケージ１２が＋Ｘ方向に所定角度で傾斜することとなり、発光チップ２４から出射されるレーザー光の進行方向が光軸１６側に補正される。
【００６８】
一方、図５（Ａ）を参照して、発光チップ２４から出射されるレーザー光が＋Ｘ方向に偏って出射される場合は、ＬＤパッケージ１２の表裏を図４（Ａ）に示す状態と逆にして載置し、ＬＤホルダ１４の第２内壁２０に、ＬＤパッケージ１２の第１側面３０を密着させる。この様にすることで、ＬＤパッケージ１２が−Ｘ方向に傾斜し、発光チップ２４から出射されるレーザー光が光軸１６側に補正される。
【００６９】
上記したように、発光チップ２４から発光されるレーザー光は、＋Ｘ側または−Ｘ側に偏って出射されるが、内部に所定角度で傾斜する内壁を備えたＬＤホルダ１４を、表状態または裏状態で使い分けることにより、１つの種類のＬＤホルダ１４で両方向に偏るレーザー光の進行方向を補正することが可能となる。
【符号の説明】
【００７０】
１０   レーザー取付装置
１２   ＬＤパッケージ
１４   ＬＤホルダ
１４Ａ 第１ＬＤホルダ
１４Ｂ 第２ＬＤホルダ
１６   光軸
１８   第１内壁
２０   第２内壁
２２   端子部
２４   発光チップ
２６   第１当接部
２８   第２当接部
３０   第１側面
３２   第２側面
３４   第１当接部
３６   第２当接部
３８   第１認識マーク
４０   第２認識マーク
４２   ハウジング
４３   側面
４４   側面
４５   側面
４６   側面
４７   側面
４８   開口部
４９   側面
５０   凹部
５１   側面
５２   光検出器
５３   側面
５４   検出レンズ
５６   ハーフミラー
５８   コリメートレンズ
６０   １／４波長板
６２   対物レンズ
６４   光情報記録媒体
６６   偏光ビームスプリッタ
６８   カップリングレンズ
７０   第２回折格子
７２   第１回折格子
７４   光ピックアップ装置
【図１】
2011181133.tif 000003
【図２】
2011181133.tif 000004
【図３】
2011181133.tif 000005
【図４】
2011181133.tif 000006
【図５】
2011181133.tif 000007
【図６】
2011181133.tif 000008